(57)【要約】【課題】  テレビジョン受信機の背面側にミリ波帯のアンテナや受信機を取り付ける。【解決手段】  平板状の支持板２の一端部に、この支持板２に対して直角にかつ支持板２と一体に板状の固定板６が設けられている。固定板６は、テレビジョン受信機３８の背面に固定される。支持板２に設けられた取付部１２に、ミリ波受信機３２が取り付けられる。【選択図】        図１
2011182097.tif 000002
【特許請求の範囲】
【請求項１】
平板状の支持板と、
この支持板の一端部に、この支持板に対して所定の角度をなすように前記支持板と一体に設けられ、固定体に固定される板状の固定板と、
前記支持板に設けられ、アンテナ、送信機または受信機が取り付けられる取付部とを、
具備する取付具。
【請求項２】
請求項１記載の取付具において、前記取付部は、前記支持板の長さ方向に沿う直線上の任意の位置に固定可能である取付具。
【請求項３】
請求項１または２記載の取付具において、
前記取付部は、前記支持板に対して直角な第１の軸回りに回転自在な第１の部材と、
この第１の部材に設けられ、前記アンテナ、送信機または受信機が取り付けられ、前記第１の軸に直交する第２の軸の回りに回転自在な第２の部材とを、
具備する取付具。
【請求項４】
請求項３記載の取付具において、第１の部材は、
前記第１の軸上に位置する軸体と、
この軸体の外周に挿通された環状部と、
この環状部から、互いに間隔をおいて側方に突出した２つの突出板とを、
具備し、第２の部材は、
前記２つの突出板それぞれに面接触している２つの接触板と、
これら２つの接触板における前記環状部と反対側に設けられ、前記アンテナ、送信機または受信機が取り付けられる取付板と、
前記第２の軸上に位置し、前記２つの接触板及び前記２つの突出板を貫通したボルトとを、
具備し、前記２つの接触板は、前記ボルトの回りに回転可能であり、前記ボルトは、前記２つの接触板間の距離及び前記２つの突出板間の距離を縮小するように、前記２つの接触板及び前記２つの突出板を押圧固定する
取付具。
【請求項５】
請求項１乃至４いずれか記載の取付具において、前記固定板に、その高さ調整手段を設けた取付具。
【発明の詳細な説明】
【技術分野】
【０００１】
本発明は、アンテナ、送信機または受信機を、例えばミリ波帯のアンテナ、送信機または受信機を、固定体に取り付ける取付具に関する。
【背景技術】
【０００２】
アンテナで受信したＵＨＦ帯の地上デジタルテレビジョン放送信号や、ＢＳ／ＣＳアンテナで受信され、このアンテナに付属するコンバーターから出力されるＢＳ／ＣＳ−ＩＦ中間周波信号を、アップコンバーターによってミリ波帯の信号に周波数変換し、このミリ波帯の信号を屋内に設置したミリ波帯送信アンテナから屋内に送信し、屋内のテレビジョン受信機の上面に取り付けたミリ波帯受信アンテナによって受信し、このミリ波帯受信アンテナに付属するダウンコンバーターによって元のＵＨＦ帯の地上デジタルテレビジョン放送信号やＢＳ／ＣＳ−ＩＦ中間周波信号に周波数変換し、これをテレビジョン受信機に供給する技術が、特許文献１に開示されている。また、上記のようなミリ波送信アンテナやアップコンバーターを家屋の天井内に取り付けた例が、特許文献２に開示されている。
【先行技術文献】
【特許文献】
【０００３】
【特許文献１】特許第４２９１６５７号
【特許文献２】特開２００７−２７４１４７号
【発明の概要】
【発明が解決しようとする課題】
【０００４】
特許文献１では、ミリ波帯受信アンテナは、テレビジョン受信機の上面に取り付けられている。これは、ミリ波帯信号を良好に受信するためと思われる。しかし、ミリ波帯送信アンテナの屋内の設置位置によっては、必ずしもテレビジョン受信機の上面が良好にミリ波帯の信号を受信できる位置とは限らず、また、テレビジョン受信機の上面へのミリ波帯受信アンテナの設置は、テレビジョン受信機の見栄えを損なう。また、ミリ波帯送信アンテナやアップコンバーターは、場合によっては天井内ではなく、室内の壁に取り付け可能な場合もあるが、特許文献２では、そのような場合に対応することができない。
【０００５】
本発明は、ミリ波帯の送信機の設置位置によっては、テレビジョン受信機の背面側でも良好にミリ波帯の信号を受信できることに鑑み、テレビジョン受信機の背面側にミリ波帯のアンテナや受信機を取り付け可能とし、またミリ波帯の送信アンテナや送信機を壁面に取付可能とした取付具を提供することを目的とする。
【課題を解決するための手段】
【０００６】
本発明の一態様の取付具では、平板状の支持板の一端部に、この支持板に対して所定の角度、例えばほぼ直角をなすように、前記支持板と一体に板状の固定板が設けられている。前記支持板に取付部が設けられている。この取付部には、アンテナ、送信機または受信機、例えばミリ波帯のアンテナ、このアンテナを備えた送信機またはこのアンテナを備えた受信機が取り付けられる。
【０００７】
このように構成された取付具では、固定板をテレビジョン受信機の背面または屋内の壁などに固定することによって、アンテナまたは受信機をテレビジョン受信機の背面に取り付けたり、アンテナまたは送信機を屋内の壁に取り付けたりすることができる。
【０００８】
前記取付部は、前記支持板の長さ方向に沿う直線上の任意の位置に固定可能に構成することができる。例えば支持板の長さ方向に沿って、支持板の厚さ方向に貫通した貫通溝を設け、この溝内を取付部が摺動可能とし、この溝内の任意の位置で取付部を固定する固定手段を設ける。
【０００９】
例えば複数台のテレビジョン受信機を一列に配置し、１台のミリ波送信機からのミリ波帯の信号を受信するような場合に、取付部の位置が変更不能であると、他のテレビジョン受信機に設けたミリ波受信アンテナや受信機が障害物となってミリ波送信機からのミリ波帯の信号を受信できないアンテナまたは受信機が生じる可能性がある。取付部の支持板における位置を調整可能となることによって、他のテレビジョン受信機に設けたミリ波受信アンテナや受信機が障害物となることを回避でき、いずれの取付部に設けたアンテナや受信機でも良好にミリ波帯の信号を受信することが可能となる。
【００１０】
前記取付部は、前記支持板に対して直角な第１の軸回りに回転自在に第１の部材を設け、前記第１の軸に直交する第２の軸の回りに回転自在な第２の部材を、第１の部材に設けることもできる。この場合、前記アンテナ、送信機または受信機は、第２の部材に取り付けられる。
【００１１】
このように構成すると、アンテナ、送信機または受信機の例えば方位角を、第１の軸の回りに第１の部材を回転させることによって調整することができ、例えば仰角を第２の軸の回りに第２の部材を回転させることによって調整することができる。
【００１２】
更に、第１の部材は、前記第１の軸上に位置する軸体と、この軸体の外周に挿通された環状部と、  この環状部から、互いに間隔をおいて側方に突出した２つの突出板とを、
具備するものとできる。この場合、第２の部材は、前記２つの突出板それぞれに面接触している２つの接触板と、これら２つの接触板における前記環状部と反対側に設けられ、前記アンテナ、送信機または受信機が取り付けられる取付板と、前記第２の軸上に位置し、前記２つの接触板及び前記２つの突出板を貫通したボルトとを、具備している。前記２つの接触板は、前記ボルトの回りに回転可能であり、前記ボルトは、前記２つの接触板間の距離及び前記２つの突出板間の距離を縮小するように、前記２つの接触板及び前記２つの突出板を押圧固定する。
【００１３】
このように構成すると、アンテナ、送信機または受信機の仰角や方位角の調整が終了した後、ボルトを締めるという１つの作業だけで、仰角及び方位角を固定することができる。
【００１４】
前記固定板に、前記取付部の高さ位置調整手段を設けることもできる。
【発明の効果】
【００１５】
以上のように、本発明によれば、テレビジョン受信機の背面側にミリ波帯のアンテナや受信機を取り付けることができ、またミリ波帯の送信アンテナや送信機を壁面に取り付けることができる。
【図面の簡単な説明】
【００１６】
【図１】本発明の第１の実施形態の取付具の平面図である。
【図２】図１のＡ−Ａ線に沿う断面図である。
【図３】図１のＢ−Ｂ線に沿う断面図である。
【図４】図１の取付具の部分省略底面図である。
【図５】図１の取付具の第１の使用状態の平面図である。
【図６】図１の取付具の第２の使用状態の図２に相当する断面図である。
【図７】本発明の第２の実施形態の取付具の方位角を調整した図２に相当する断面図である。
【図８】本発明の第２の実施形態の取付具の方位角を調整した図３に相当する断面図である。
【発明を実施するための形態】
【００１７】
本発明の第１の実施形態の取付具１は、図１及び図３に示すように、支持板２を有している。支持板２は、概略長方形状に形成された金属製であり、その中央には長さ方向に沿って厚さ方向に貫通した貫通孔４が形成されている。
【００１８】
図３に示すように、支持板２の一端部には、支持板２と直角をなすように固定板６が一体に形成されている。この固定板６も、概略長方形状の金属製で、図２に示すように、その長さ方向に沿って、壁面やテレビジョン受信機に取り付けるための円形の取付孔８が一列に複数、例えば３個間隔をおいて形成されている。また、これら取付孔８の列よりも支持板２に近い位置に、同じく円形の取付孔１０が、その幅方向に一列に複数、例えば２個間隔をおいて形成されている。これら取付孔８、１０は、ＶＥＳＡ規格に対応するように設けられている。支持板２と固定板６とによってＬ型アングルが形成されている。
【００１９】
支持板２における固定板６と反対方向に取付部１２が設けられている。取付部１２は、軸体１４を有し、軸体１４は、例えば合成樹脂製の円筒であり、図２及び図３に示すように、支持板２に対して直交する第１の軸１５にその中心軸が位置するように配置されている。軸体１４の底面には、図３及び図４に示すように、その中心軸を挟んで貫通孔４の長さ方向に沿って突起１６が２つ形成され、これら突起１６が貫通孔４内に位置している。これら突起１６は、軸体１４の回り止めとして機能しているし、また軸体１４を貫通孔４に沿って摺動させる場合の案内としても機能する。固定手段、例えば雄ねじ１８が支持板２の軸体１４とは反対側から貫通孔４を通過して軸体１４の中心軸に沿って軸体１４内に侵入し、軸体１４内の中心軸上のねじ孔２０（図４参照）に螺合して、支持板２に軸体１４を押圧固定している。従って、雄ねじ１８を緩めて、図１に矢印ａで示すように軸体１４を貫通孔４に沿って移動させることによって軸体１４は、支持板２の長さ方向に沿う任意の位置に移動可能で、移動後の位置で雄ねじ１８を締めることによって固定できる。
【００２０】
軸体１４の外周面には、図１に示すように、環状部２２が配置されている。環状部２２も合成樹脂製の円環状のものである。環状部２２の内径は軸体１４の直径にほぼ等しく、環状部２２の内周面が軸体１４の外周面に面接触している。そのため、軸体１４の回りを矢印ｂで示すように環状部２２は回転自在である。環状部２２は、軸体１４とほぼ同じ高さ寸法を有している。この環状部２２の一部が欠除されており、その欠除部分の両端から側方に２つの突出板２４が突出している。この突出板２４も合成樹脂製で、環状部２２と同じ高さ寸法を有している。軸体１４と環状部２２と突出板２４とによって、第１の部材が構成されている。なお、軸体１４から環状部２２が抜けることを防止するために、図２に示すように、軸体１４の高さ方向のほぼ１／２の高さ位置の外周囲には溝１４ａが形成され、突出板２４、２４とは反対側の環状部２２の位置にネジ止めされた抜け止め部材２５が溝１４ａ内に突出している。
【００２１】
２つの突出板２４それぞれの外面側に２つの接触板２６がそれぞれ接触している。接触板２６は、例えば金属製であり、突出板２４と環状部２２との接合部から、少なくとも突出板２４の先端まで伸び、この実施形態では突出板２４の先端を超えて、更に先端側まで突出している。すなわち、接触板２６、２６の長さ寸法は、突出板２４の長さ寸法以上である。接触板２６は、軸体１４、環状部２２及び突出板２４と同じ高さ寸法を有している。接触板２６の先端間は、図２に示すように、接触板２６と一体に形成された金属製の連結板２８によって連結されている。図３に示すように連結板２８の上端は、接触板２６の上端よりも上方に突出し、その先端から接触板２６、２６の両外側に突出した状態で、金属製の平板状の取付板３０が連結板２８と一体に形成されている。この取付板３０に、ミリ波帯の受信アンテナを内蔵したミリ波受信機３２が取り付けられている。ミリ波受信機３２は、軸体１４と反対方向の面が受信面である。
【００２２】
突出板２４、２４に接触板２６、２６が接触した状態において、図１に示すように、第１の軸１５に直交する第２の軸２７上に位置し、突出板２４、２４及び接触板２６を、固定手段、例えばボルト３４が貫通している。接触板２６、２６は、図２に矢印ｃで示すように、ボルト３４の回りに回転自在である。また、ボルト３４は、その先端が突出している接触板２６に設けたねじ孔（図示せず）に螺合している。従って、ボルト３４の基端側にある操作部３６を回してボルト３４を締め付けることによって、接触板２６、２６間の間隔が狭まり、突出板２４、２４に接触板２６、２６が押圧固定される。更にボルト３４を締め付けることによって、合成樹脂製である突出板２４、２４の径が狭まり、これに伴い環状部２２の内径が狭まり、軸体１４に環状部２２が押圧固定され、軸体１４に環状部２２も固定される。これら接触板２６、２６、連結板２８、取付板３０、ボルト３４によって、第２の部材が構成されている。この第２の部材と、上述した第１の部材とによって、取付部１２が構成されている。
【００２３】
この取付具１は、例えば図３に示すように、テレビジョン受信機３８の背面に取り付けられる。その取付は、テレビジョン受信機３８の背面にＶＥＳＡ規格に従って設けられているねじ孔４０に、固定板６のねじ孔８のうち１つを一致させ、雄ねじ４２を取付孔８を介してねじ孔４０に螺合させることによって行われる。このようにして、テレビジョン受信機３８の背面側にミリ波受信機３２を取り付けることができ、テレビジョン受信機３８の見栄えを良好にすることができる。
【００２４】
このようにテレビジョン受信機３８の背面に取付具１を取り付けた状態において、雄ねじ１８を緩め、取付部１２を貫通孔４に沿って所望の位置まで移動させて、雄ねじ１８を締めることによって固定する。これによって、例えば図５に示すように複数台テレビジョン受信機３８を配列し、その配列方向の一方の端からミリ波帯の信号が図示しないミリ波送信機から送信されている場合に、ミリ波受信機３２のテレビジョン受信機３８の背面からの距離をそれぞれ異ならせることができる。その結果、ミリ波帯の送信機側に近い位置にあるテレビジョン受信機３８に取り付けた取付具１やミリ波受信機３２によって、ミリ波送信機から遠い位置にあるテレビジョン受信機３８のミリ波受信機３２に対するミリ波帯の信号が遮蔽されることを防止できる。
【００２５】
このような状態で、ボルト３４を緩めて、環状部２２を第１の軸１５の回りに回転させることによって、ミリ波受信機３２がミリ波送信機を向くように方位角を調整する。同様にボルト３４の回りに接触板２６を回転させて、ミリ波受信機３２がミリ波送信機を向くように仰角を調整する。この調整の完了後、ボルト３４を強固に締めることによって、調整された方位角及び仰角に、取付具１を固定することができる。すなわち、ボルト３４を締めるという作業だけで、方位角と仰角とを固定できる。
【００２６】
なお、場合によっては、ミリ波送信機が、テレビジョン受信機３８の上方の天井から下方に向けてミリ波を送信することがある。この場合には、図６に示すように、ミリ波受信機３２が天井を向くように、ボルト３４の軸回りに接触板２６を９０度回転させればよい。ミリ波受信機３２が９０度回転する前に、ミリ波受信機３２が軸体１４や環状部２２に接触して、それ以上の回転が不能となることが無いように、軸体１４、環状部２２の高さ寸法以上に、上述した接触板２６の長さ寸法が選択されている。
【００２７】
なお、ミリ波受信機３２等に取り付ける場合にも、上述したのと同様にして固定板６を壁に固定する。その際には、木ねじを取付孔８、１０の適切なものに挿通し、壁にねじこめばよい。
【００２８】
本発明の第２の実施形態の取付具１ａを、図７及び図８に示す。この取付具１ａは、図７に示すように、固定板６ａの長さ寸法を延長したもので、取付孔８に代えて、高さ調整手段、例えば貫通孔４４を形成したものである。貫通孔４４は、固定板６ａの中央にその長さ方向に沿って形成され、固定板６ａの厚さ方向に貫通している。他の構成は、第１の実施形態の取付具１と同一であるので、同一部分には同一符号を付して、その説明を省略する。
【００２９】
ミリ波送信機が各テレビジョン受信機３８の背面側からミリ波を送信する場合、ミリ波送信機と各テレビジョン受信機の背面側にあるミリ波受信機３２との間に障害物が存在しないことが、良好にミリ波帯の信号を受信するためには望ましい。そこで、各ミリ波受信機３２の高さを調整可能として、障害物の影にミリ波受信機がならないように、貫通孔４４に挿通した雄ねじ４２をテレビジョン受信機３８のねじ孔４０に軽く螺合させて、固定板６ａを仮止めし、固定板６ａを矢印ｄで示すように上下方向に移動させて、各ミリ波受信機３２からミリ波送信機を見通せる高さとなる位置を決定し、その位置で雄ねじ４２を強固に螺合させる。以下、第１の実施形態の取付具１と同様に方位角及び仰角の調整及びそれらの固定を行う。また、ミリ波送信機と各テレビジョン受信機のミリ波受信機との間に障害物が存在しない場合でも、ミリ波送信機の床面からの高さとほぼ同じ高さに、各テレビジョン受信機の背面側にあるミリ波受信機３２を配置することが、さらに良好にミリ波帯の信号を受信するためには望ましい。そのため、障害物が存在しない場合でも、ミリ波送信機と各テレビジョン受信機のミリ波受信機との高さ位置をほぼ同じとするために、上述したのと同様にして、各ミリ波受信機の高さを調整する。
【００３０】
上記の両実施形態では、ミリ波受信機３２をテレビジョン受信機３８の背面に取り付ける場合について説明したが、これに限ったものではなく、壁面に固定することもできるし、天井面に取り付けることもできる。また、ミリ波受信機３２の取付に、この取付具１、１ａを使用したが、ミリ波送信機の取付に使用することもできるし、ミリ波帯のアンテナのみの取付に使用することもできる。
【００３１】
上記の両実施形態では、支持板２と固体板６とはほぼ直角をなすように配置したが、状況に応じて他の角度、例えば鋭角または鈍角をなすように両者を配置することもできる。また、上記の両実施形態では、貫通孔４は、１つだけ設けたが、支持板２の長さ方向に沿って互いに間隔をおいて２つ設けることもできる。この場合、各貫通孔内に、それぞれ軸体１４の底面に設けた突起を案内として設ける。第１の実施形態の取付具１では、固定板６には固定板６の長さ方向に沿って取付孔８を、幅方向に沿って取付孔１０をそれぞれ設けたが、場合によってはいずれか一方のみを設けることも可能である。上記の両実施形態では、突出板２４、２４の外面側に接触板２６、２６を接触させたが、突出板２４、２４の内面側に接触板２６、２６を接触させてもよい。この場合、ボルト３４が螺合するねじ孔は、突出板２４に形成する。第２の実施形態では、固定板６ａに貫通孔４４を形成したが、第１の実施形態と同様な固定板６を用い、この固定板６の支持板２と反対側の面に接触する別の固定板を設け、この固定板に貫通孔４４に相当する貫通孔を設け、別の固定板を壁やテレビジョン受信機に適切に固定して、別の固定板の貫通孔に対する固定板６の取付位置を摺動させてミリ波受信機の高さを調整することもできる。
【符号の説明】
【００３２】
１  １ａ  取付具
２  支持板
４  貫通孔
６  固定板
１２  取付部
１４  軸体
１５  第１の軸線
２２  環状部
２４  突出板
２６  接触板
２７  第２の軸線
３０  取付板
３２  ミリ波受信機
【図１】
2011182097.tif 000003
【図２】
2011182097.tif 000004
【図３】
2011182097.tif 000005
【図４】
2011182097.tif 000006
【図５】
2011182097.tif 000007
【図６】
2011182097.tif 000008
【図７】
2011182097.tif 000009
【図８】
2011182097.tif 000010